(57)【要約】      （修正有）【課題】リサイクル・システムの一環として、残飯などの食品残渣と割り箸・爪楊枝の分別を容易にする手段の開発が求められている。これが本件考案の解決しようとする課題である。【解決手段】分別回収爪楊枝１は、爪楊枝の握り部分に粘着紙テープ２などを巻き、爪楊枝の使用後は、粘着テープの一部をはがし割り箸に巻きつけること、あるいは貼り付けることにより爪楊枝と割り箸３を一体化し、食品残渣との分別回収を容易にした。また粘着紙テープなどは、爪楊枝との接触部については、粘着するものとはしないこと、あるいは粘着力の低いものとすることにより、爪楊枝の使用後は、紙テープなどをスライドさせ、汚れた部分を覆い隠すことができるものとし、爪楊枝の使用後の不潔感とを軽減させ、鋭利な部分を覆うことにより処分時の安全性を高めるものとした。【選択図】図１
0003130373.tif 000002
【実用新案登録請求の範囲】
【請求項１】
爪楊枝の握り部分に粘着紙テープなどを巻き、爪楊枝の使用後にはこの粘着紙テープなどの一部をはがし割り箸に巻きつけること、あるいは割り箸に付着させることにより、割り箸と爪楊枝とを一体化する手段を備えることを特徴とする爪楊枝
【請求項２】
請求項１記載の爪楊枝は、その使用前においても粘着紙テープなどの一部を割り箸に付着させることができる手段を備えることを特徴とする。
【請求項３】
請求項１記載の爪楊枝の握り部分の粘着紙テープなどの爪楊枝との接触部については、粘着剤をつけず、あるいは粘着力の弱い粘着剤とし、紙テープなどを爪楊枝の使用後の汚れた部分へのスライドさせることができる手段を備えることを特徴とする爪楊枝
【考案の詳細な説明】
【技術分野】
【０００１】本考案は、使用済みの爪楊枝を割り箸などに接着し一体化することにより、再生可能資源として分別回収を容易にする爪楊枝に関する。
【背景技術】
【０００２】従来、爪楊枝は、分別回収することによりパルプ原料などへの再生可能資源として再利用することに十分な技術的対応がなされていなかった。【０００３】割り箸と爪楊枝を一体化するという考案として、実開平７−１５５９０などがあるが、いずれも爪楊枝の使用上利便性、包装の利便性などを追及したものなどとなっている。
【考案の開示】
【考案が解決しようとする課題】
【０００４】爪楊枝は、飲食店などでは従来その使用後は店内の灰皿やゴミ箱に捨てられていたが、店内の美観や禁煙などの理由により灰皿やゴミ箱が店内に置かれなくなっている。このため多くの飲食店では使用後の爪楊枝は食器のなかに捨てられることとなっている。例えば立ち食いそば店などでは、残飯の残る丼に放り込まれることとなっている。そして分別回収し再資源化されることも殆ど無く、廃棄物として焼却処分されているのが現状である。
当然のことのように爪楊枝を残飯の残る丼に放り込むという行為が行われており、これは国民の環境保護意識の低下をもたらす一因となるものであると考える。残飯は食品リサイクルとして飼料・肥料などとして活用し、割り箸・爪楊枝は製紙原料などとして活用されるリサイクル・システムを確立してゆくことが急務となっている。
このリサイクル・システムの一環として、残飯などの食品残渣と割り箸・爪楊枝の分別を容易にする手段の開発が求められている。これが本件考案の解決しようとする課題である。【０００５】韓国においては、食品残渣は家畜の飼料として利用するという食品リサイクル・システムが進んでおり、そして家畜を傷つけないために、飲食店において木製の割り箸や爪楊枝の使用は法的に禁止されており、また更に「でんぷん」を原料とする分解され食べることもできる爪楊枝が開発され広く普及している。日本においては、木製の割り箸や爪楊枝を規制することは困難であり、また分別回収することも、食品リサイクルについても殆どなされていないのが現状である。安価かつ簡便に割り箸と爪楊枝の分別回収することに資することが本件考案の課題である。
【課題を解決するための手段】
【０００６】本考案の分別回収爪楊枝は、爪楊枝の握り部分であり爪楊枝全体の長さの１／２から１／３の部分に粘着紙テープなどを巻き、爪楊枝の使用後は、粘着テープの一部をはがし割り箸に巻きつけること、あるいは貼り付けることにより爪楊枝と割り箸を一体化し、食品残渣との分別回収を容易にする手段を備えることを特徴とする。【０００７】また粘着紙テープなどは、爪楊枝との接触部については、粘着するものとはしないこと、あるいは粘着力の低いものとすることにより、爪楊枝の使用後は、紙テープなどをスライドさせ、使用し汚れた部分を覆い隠すことができるものとし、爪楊枝の使用後の不潔感を軽減させる手段を備えるもととしたことを特徴とする。【０００８】爪楊枝の使用後に、紙テープなどをスライドさせることにより、爪楊枝の先端の鋭利な部分を覆うことができるものとすることにより、使用済みの爪楊枝の取り扱いにおける安全性を高める手段を備えるものとしたことを特徴とする。【０００９】またコンビニやスーパーマーケットなどで提供される割り箸についても、粘着紙テープなどで爪楊枝を割り箸と一体化させることにより、使用する際に床に落としたり、指を傷つけたりすることを防止する手段を備えることを特徴とする。
【考案の効果】
【００１０】本件の考案により爪楊枝を割り箸と一体として回収することができ、その再生可能資源としての再利用と、残飯などに混入することを防止し、残飯の家畜飼料などへの再利用に効果を有するものである。このことは、「食品循環資源の再生利用等の促進に関する法律」（食品リサイクル法）における「食品循環資源の発生、収集又は再生利用の各段階において、食品循環資源と容器包装、楊枝その他の異物及び再生利用に適さない食品廃棄物等との分別を徹底することが必要」（基本方針）という政策課題に資するものである。【００１１】これに加え、箸袋から取り出す際の落下を防ぐ効果、爪楊枝の使用後の不潔感の低減、使用後の処分の際における安全性を向上においても顕著な効果を有するものである。
【考案を実施するための最良の形態】
【００１２】本考案の分別回収爪楊枝は、爪楊枝の握り部分であり爪楊枝全体の長さの１／２から１／３の部分に粘着テープなどを巻き、爪楊枝の使用後は、粘着テープの一部をはがし割り箸に巻きつけること、あるいは貼り付けることにより爪楊枝と割り箸を一体化し、食品残渣との分別回収を容易にするものとする。この粘着テープは、割り箸・爪楊枝などとともにパルプ原料となることに支障を生じるものでない素材とする。【００１３】粘着紙テープなどは、爪楊枝との接触部については、粘着するものとはしないこと、あるいは粘着力の低いものとすることにより、爪楊枝の使用後は、紙テープなどをスライドさせ、使用し汚れた部分を覆い隠すことができるものとし、爪楊枝の使用後の不潔感を軽減させるものとする。
また爪楊枝の使用後に、紙テープなどをスライドさせることにより、爪楊枝の先端の鋭利な部分を覆うことができるものとすることにより、使用済みの爪楊枝の取り扱いにおける安全性を高めるものとする。【００１４】飲食店などの店内の爪楊枝については、握り部分に粘着テープを巻いた状態で爪楊枝立て、爪楊枝箱に備えられ、利用者は汚れた部分にスライドさせ覆い隠すことにより不潔感を低減させ、また爪楊枝の鋭利な部分が指などを傷つけることを防止するものとし、その上で、割り箸に貼り付けることにより一体化し、分別回収を容易にするものとする。【００１５】コンビニ、スーパーマーケット、持ち帰り弁当店などで提供される割り箸については、予め粘着テープなどで爪楊枝を割り箸と一体化させることにより、箸袋から取り出す際に、床に落としたり、指を傷つけたりすることを防止する手段を備えることを特徴とする。
【図面の簡単な説明】
【００１６】
【図１】本考案による分別回収爪楊枝の使用後の概略図である。
【図２】本法案による分別回収爪楊枝の使用前の概略図である。
【符号の説明】
【００１７】１．爪楊枝  本体部分
２．紙などによるテープ部分
３．割り箸
【図１】
0003130373.tif 000003
【図２】
0003130373.tif 000004
【手続補正書】
【提出日】平成18年12月19日(2006.12.19)
【手続補正１】
【補正対象書類名】実用新案登録請求の範囲
【補正対象項目名】全文
【補正方法】変更
【補正の内容】
【実用新案登録請求の範囲】
【請求項１】
爪楊枝の握り部分に粘着紙テープなどを巻き、爪楊枝の使用後にはこの粘着紙テープの一部をはがし割り箸に巻きつけること、あるいは割り箸に付着させることにより、割り箸と爪楊枝とを一体化する手段を備えることを特徴とする爪楊枝
【請求項２】
使用前においても粘着紙テープなどの一部を割り箸に付着させることができる手段を備えることを特徴とする請求項１記載の爪楊枝。
【請求項３】
請求項１記載の爪楊枝の握り部分の粘着紙テープなどの爪楊枝との接触部については、粘着剤をつけず、あるいは粘着力の弱い粘着剤とし、紙テープなどを爪楊枝の使用後の汚れた部分へのスライドさせることができる手段を備えることを特徴とする爪楊枝